(57)【要約】  【課題】  店舗内に居る顧客を検知し、在店中の顧客に対して店舗に関する有用な情報を提供する情報提供システムを提供する。  【解決手段】  会員カードを携帯する顧客は、入退店する際に出入口に設置してあるカードリーダ２のカード読取部２３に、会員カード自体又は会員カードを入れたカードケースをかざす。カード読取部２３は、かざされた会員カードに記憶してある会員番号を読み取り、読み取った会員番号を情報提供装置１へ通知する。情報提供装置１は、カードリーダ２から通知された会員番号が示す顧客が入店したことを検知する。また情報提供装置１は、カードリーダ２から通知された会員番号が既に通知されている会員番号である場合には、前記会員番号が示す顧客が退店したことを検知する。情報提供装置１は、入店を検知し、退店を検知していない顧客、即ち在店中の顧客に対して、予め用意してある店舗情報を提供する。【選択図】      図１
2006018520.tif 000002
【特許請求の範囲】
【請求項１】
店舗に関する情報を記憶する情報記憶手段を備え、該情報記憶手段に記憶してある情報を顧客へ提供する情報提供システムにおいて、
顧客の入店及び退店を検知する検知手段と、
該検知手段が入店を検知し、退店を検知していない顧客の在店中の連絡先を取得する取得手段と、
前記検知手段が入店を検知し、退店を検知していない顧客へ提供する情報を特定する特定手段と、
該特定手段が特定した情報を前記情報記憶手段から読み出し、前記取得手段が取得した連絡先へ提供する提供手段と
を備えることを特徴とする情報提供システム。
【請求項２】
複数の顧客のそれぞれに対応して、在店中の連絡先を記憶する連絡先記憶手段を備え、
前記取得手段は、前記検知手段が入店を検知し、退店を検知していない顧客の在店中の連絡先を前記連絡先記憶手段から読み出して取得するようにしてあることを特徴とする請求項１に記載の情報提供システム。
【請求項３】
前記取得手段は、複数の顧客のそれぞれが携帯している携帯機器に設けられ、それぞれの顧客の在店中の連絡先を記憶している連絡先記憶部から、前記検知手段が入店を検知し、退店を検知していない顧客の在店中の連絡先を取得するようにしてあることを特徴とする請求項１に記載の情報提供システム。
【請求項４】
前記連絡先は、前記携帯機器に係る連絡先であることを特徴とする請求項３に記載の情報提供システム。
【請求項５】
前記情報記憶手段は、顧客へ提供する提供日又は提供時刻に関連付けて店舗に関する情報を記憶しており、
前記特定手段は、顧客へ提供する提供日又は提供時刻に対応する情報を特定するようにしてあること
を特徴とする請求項１乃至４のいずれかひとつに記載の情報提供システム。
【請求項６】
前記情報記憶手段は、店舗からの交通手段に関する情報を記憶しており、
前記検知手段が入店を検知し、退店を検知していない顧客の商品の購入状況を検出する検出手段を備え、
前記特定手段は、前記検出手段が検出した購入状況に基づいて、店舗からの交通手段に関する情報を特定するようにしてあること
を特徴とする請求項１乃至５のいずれかひとつに記載の情報提供システム。
【発明の詳細な説明】
【技術分野】
【０００１】
本発明は、店舗に関する情報を在店中の顧客に対して提供する情報提供システムに関する。
【背景技術】
【０００２】
従来の情報提供システムには、それぞれの店舗において会員登録をした顧客に対して、それぞれの店舗に関する情報をダイレクトメールによって配信するものがある。また、各顧客が購入した商品又は購入を希望している商品等に関するアンケートを行ない、そのアンケート結果に合致するような情報を提供し、集客効果を図ることができる情報提供システムもある。
【０００３】
更に、顧客の要求を示す要求情報及び顧客のＩＤ情報を携帯端末に入力しておき、携帯端末と無線通信が可能な複数の情報提供サーバを介して、管理サーバに記憶してある店舗情報を携帯端末へ提供する情報提供システムもある（例えば、特許文献１参照）。このシステムを利用することにより、顧客は要求していた情報を必要に応じて取得することができる。
【特許文献１】特開２００３−１８９３４３号公報
【発明の開示】
【発明が解決しようとする課題】
【０００４】
しかし、ダイレクトメールを配信する従来の情報提供システムにあっては、配信コストを要するのみならず、顧客はダイレクトメールが到着して閲覧するまでは有用な情報を確認することができないという問題がある。また、ダイレクトメールが到着していない場合、到着したダイレクトメールを顧客が確認していない場合、又は到着したダイレクトメールが放置されている場合等には、顧客は、提供された有用な情報を知らないまま来店することとなり、有用な情報が十分に活用されないおそれがあると共に、提供されていたダイレクトメールを確認した上で後日に再来店させる手間が顧客によっては必要になるという問題がある。
【０００５】
また、特許文献１に開示されている情報提供システムでは、顧客の携帯端末が、情報提供サーバとの接近を検出した場合に、予め入力されていた要求情報に基づいて情報を要求することによって顧客が所望する情報を取得することができる。しかし、顧客にとっては予め所望の情報を要求するための要求情報及びＩＤ情報を携帯端末に入力しておかなければならないという手間が必要になるという問題がある。
【０００６】
本発明は斯かる問題に鑑みてなされたものであり、その目的とするところは、店舗内に居る顧客を検知し、在店中の顧客に対して店舗に関する有用な情報を提供することが可能な情報提供システムを提供することにある。
【０００７】
本発明の他の目的は、店舗に関する情報を在店中の顧客へ提供する場合の連絡先を、顧客が携帯している携帯機器における連絡先とすることによって、在店中の顧客に対して店舗に関する有用な情報を確実に提供することが可能な情報提供システムを提供することにある。
【０００８】
更に本発明の他の目的は、顧客へ提供する提供日又は提供時刻に応じて異なる情報を提供することにより、顧客の来店日又は来店時刻に応じてより有用な情報を店舗内の顧客へ提供することが可能な情報提供システムを提供することにある。
【課題を解決するための手段】
【０００９】
本発明に係る情報提供システムは、店舗に関する情報を記憶する情報記憶手段を備え、該情報記憶手段に記憶してある情報を顧客へ提供する情報提供システムにおいて、顧客の入店及び退店を検知する検知手段と、該検知手段が入店を検知し、退店を検知していない顧客の在店中の連絡先を取得する取得手段と、前記検知手段が入店を検知し、退店を検知していない顧客へ提供する情報を特定する特定手段と、該特定手段が特定した情報を前記情報記憶手段から読み出し、前記取得手段が取得した連絡先へ提供する提供手段とを備えることを特徴とする。
【００１０】
本発明による場合は、顧客の店舗への入店及び店舗からの退店を検知しており、在店中の顧客へ店舗に関する情報を提供することにより、有用な情報を有効に利用できる顧客に対して提供することが可能となる。
【００１１】
本発明に係る情報提供システムは、複数の顧客のそれぞれに対応して、在店中の連絡先を記憶する連絡先記憶手段を備え、前記取得手段は、前記検知手段が入店を検知し、退店を検知していない顧客の在店中の連絡先を前記連絡先記憶手段から読み出して取得するようにしてあることを特徴とする。
【００１２】
本発明による場合は、複数の顧客のそれぞれに対応して在店中の連絡先を予め設定して連絡先記憶手段に記憶しておき、在店中であることが検知された顧客の在店中の連絡先を前記連絡先記憶手段から読み出すことにより、店舗に関する情報の提供を希望して予め設定された顧客へ有用な情報を提供することが可能となる。
【００１３】
本発明に係る情報提供システムは、前記取得手段は、複数の顧客のそれぞれが携帯している携帯機器に設けられ、それぞれの顧客の在店中の連絡先を記憶している連絡先記憶部から、前記検知手段が入店を検知し、退店を検知していない顧客の在店中の連絡先を取得するようにしてあることを特徴とする。
【００１４】
本発明による場合は、複数の顧客のそれぞれが携帯している携帯機器に設けられた連絡先記憶部に、それぞれの顧客の在店中の連絡先を記憶しておき、在店中であることが検知された顧客が携帯する携帯機器の連絡先記憶部から、前記顧客の在店中の連絡先を取得することにより、携帯機器を携帯するそれぞれの顧客へ有用な情報を提供することが可能となる。
【００１５】
本発明に係る情報提供システムは、前記連絡先は、前記携帯機器に係る連絡先であることを特徴とする。
【００１６】
本発明による場合は、各顧客が携帯している携帯機器に設けられた連絡先記憶部に、前記携帯機器に係る連絡先を記憶させておくことにより、各顧客が携帯している携帯機器から取得した各顧客の連絡先に基づいて、在店中の顧客へ店舗に係る情報を確実に提供することが可能となる。
【００１７】
本発明に係る情報提供システムは、前記情報記憶手段は、顧客へ提供する提供日又は提供時刻に関連付けて店舗に関する情報を記憶しており、前記特定手段は、顧客へ提供する提供日又は提供時刻に対応する情報を特定するようにしてあることを特徴とする。
【００１８】
本発明による場合は、顧客へ提供する提供日又は提供時刻に応じて異なる情報を提供することにより、顧客の来店日又は来店時刻に対応した有用な情報を店舗内の顧客へ提供することが可能となる。
【００１９】
本発明に係る情報提供システムは、前記情報記憶手段は、店舗からの交通手段に関する情報を記憶しており、前記検知手段が入店を検知し、退店を検知していない顧客の商品の購入状況を検出する検出手段を備え、前記特定手段は、前記検出手段が検出した購入状況に基づいて、店舗からの交通手段に関する情報を特定するようにしてあることを特徴とする。
【００２０】
本発明による場合は、店舗内にいる顧客の商品の購入状況に基づき、例えば何らかの商品を購入した顧客を検出し、商品を購入した顧客に対して、店舗からの交通手段に関する情報を提供することにより、商品を購入することによって帰宅時刻の接近が予想される顧客に対して帰宅方法を提案することが可能となる。
【発明の効果】
【００２１】
本発明によれば、顧客の店舗への入店及び店舗からの退店を検知しており、店舗内に居る顧客に対して店舗に関する情報を提供することによって、店舗に関する有用な情報を在店中の顧客によって有効に利用することができる。
【００２２】
本発明によれば、複数の顧客のそれぞれに対応して在店中の連絡先を予め登録しておき、在店中であることが検知された顧客の在店中の連絡先を読み出し、読み出した連絡先へ情報を提供する。よって、店舗に関する情報の提供を希望して予め設定された顧客が、有用な情報を有効に利用することができる。
【００２３】
本発明によれば、それぞれの顧客が自身の在店中の連絡先を記憶してある連絡先記憶部を設けた携帯機器を携帯しており、在店中であることが検知された顧客が携帯する携帯機器の連絡先記憶部から、前記顧客の在店中の連絡先を取得し、取得した連絡先へ情報を提供する。よって、店舗内で携帯機器を携帯している顧客が、有用な情報を有効に利用することができる。また、携帯機器の連絡先記憶部に記憶される連絡先として各顧客が携帯している携帯機器に係る連絡先を記憶しておくことにより、各顧客が携帯している携帯機器へ有用な情報を確実に提供することができる。
【００２４】
本発明によれば、顧客へ提供する提供日又は提供時刻に応じて異なる情報を提供することにより、顧客の来店日又は来店時刻に対応した有用な情報を在店中の顧客へ提供することができ、来店した顧客にとってより有用な情報を提供することができる。また、在店中の顧客における商品の購入状況に基づき、例えば商品を購入した顧客に対して、店舗からの交通手段に関する情報を提供することにより、商品を購入することによって帰宅時刻の接近が予想される顧客に対して帰宅方法を提案することができる。
【発明を実施するための最良の形態】
【００２５】
以下に、本発明に係る情報提供システムをその実施の形態を示す図面に基づいて詳述する。図１は本発明に係る情報提供システムの構成例を示す模式図である。図中１００は本発明に係る情報提供システムを示している。情報提供システム１００は、公知のコンピュータを利用した情報提供装置１と、カードリーダ２，２…と、レジ端末３，３…とをネットワーク（例えばＬＡＮ）Ｎを介して相互に接続して構成されている。
【００２６】
情報提供装置１は、店舗に関する情報及び顧客情報等の各種のデータの管理を行なうと共に、ネットワークＮを介して接続されている装置と通信を行なう。カードリーダ２，２…は、例えばＲＦＩＤ（Radio Frequency Identification：電波方式認識）カードに記憶してあるデータを非接触で読み取ることが可能なカード読取部２３を備えており、例えば店舗の出入口にそれぞれ１台設置される。
【００２７】
店舗に対して予め会員登録された顧客（会員）には、ＲＦＩＤカードを利用した会員カードが付与される。会員カードには、各会員に割り当てられた会員番号、各会員の在店中の連絡先情報、各会員が購入した商品の購入履歴等を含む顧客情報が記憶してある。なお、連絡先情報としては、各会員が携帯している携帯電話機の電話番号、携帯電話機に割り当てられている電子メールアドレス等を用いることができる。
【００２８】
このような会員カードを携帯する顧客は、入店する際に出入口に設置してあるカードリーダ２の上面のカード読取部２３に、会員カード自体又は会員カードを入れたカードケースをかざす。カードリーダ２は、会員カードに予め記憶してある顧客情報のうちの会員番号をカード読取部２３によって読み取り、読み取った会員番号を情報提供装置１へ通知する。これにより、情報提供装置１は、カードリーダ２から通知された会員番号が示す顧客が入店したことを検知することができる。
【００２９】
また、顧客（会員）は、退店する際にも出入口に設置してあるカードリーダ２の上面のカード読取部２３に、会員カード自体又は会員カードを入れたカードケースをかざす。カード読取部２３によって会員カードから会員番号を読み取ったカードリーダ２は、読み取った会員番号を情報提供装置１へ通知する。情報提供装置１は、このようにカードリーダ２から同一の会員番号が２回通知された場合、通知された会員番号が示す顧客が退店したことを検知することができる。
【００３０】
レジ端末３，３…は、情報提供装置１と共にＰＯＳ（Point Of Sales）システムを構築し、顧客が購入する商品の清算を行なう。また、レジ端末３は、ＲＦＩＤカード（会員カード）に記憶してあるデータを非接触で読み取ることが可能なカード読取部３７（図２参照）を備えており、商品の清算を行なう際に、料金を支払う顧客の会員カードから会員番号を読み取り、読み取った会員番号を情報提供装置１へ通知する。これにより、情報提供装置１は、レジ端末３から通知された会員番号が示す顧客が商品を購入したことを検出することができる。なお、レジ端末３が、購入された商品に関する情報も会員番号と共に情報提供装置１へ通知することにより、情報提供装置１において各顧客の購入履歴を管理することもできる。
【００３１】
以下に、本発明の情報提供システム１００を構成する情報提供装置１、カードリーダ２及びレジ端末３の内部構成について具体的には説明する。図２は本発明に係る情報提供システムを構成する情報提供装置１、カードリーダ２及びレジ端末３の内部構成例を示すブロック図である。
【００３２】
情報提供装置１は、制御部１０、ＲＯＭ１１、ＲＡＭ１２、記憶部１３、ネットワークＮに接続するための通信部１４、表示部１５、操作部１６等を備えており、それぞれはバス１０ａを介して相互に接続されている。ＲＯＭ１１には、情報提供装置１を動作させるために必要な種々の制御プログラム及び電子メールの送受信を行なうために必要なソフトウェアであるメーラー等が予め格納されている。
【００３３】
制御部１０は、絶対時刻を刻時するタイマ（図示せず）を有するＣＰＵ（Central Processing Unit ）又はＭＰＵ（Micro Processor Unit）等により構成されており、バス１０ａを介して接続される上述したようなハードウェア各部を制御すると共に、ＲＯＭ１１に予め格納されている制御プログラムを適宜ＲＡＭ１２に読み出して実行する。ＲＡＭ１２はＳＲＡＭ又はフラッシュメモリ等で構成されており、制御部１０による制御プログラムの実行時に発生するデータを一時的に記憶する。
【００３４】
記憶部（連絡先記憶手段）１３は、不揮発性のメモリ又はＨＤＤ（Hard Disk Drive）により構成されており、その記憶領域の一部には、図３に示すような顧客データベース（以下、顧客ＤＢという）が構築されている。顧客ＤＢには予め、会員登録されている顧客毎に、割り当てられた会員番号、氏名、住所、電話番号、店舗内における在店中連絡先等が登録されている。なお、在店中連絡先としては、顧客が携帯している携帯電話機の電話番号又は携帯電話機に割り当てられている電子メールアドレスを利用することができる。
【００３５】
また、記憶部（情報記憶手段）１３は、来店した顧客へ提供するための店舗に関する情報（店舗情報）を記憶している。店舗情報としては、例えば店舗で開催されるイベントの告知、各商品の割引クーポン、店舗からの帰宅の際に利用可能な交通手段（例えば、送迎バス）の時刻表等が用意される。このような店舗情報は、提供すべき日時に関連付けて記憶部１３に記憶されている。
【００３６】
表示部１５は、ＣＲＴ又はＬＣＤ等からなり、制御部１０からの制御に基づいてＲＯＭ１１に記憶してある各種のメニュー、操作部１６を通じて入力された各種のデータ、店舗情報を管理する管理者へ通知すべき情報等を表示する。操作部１６はキーボード及びマウス等からなる。管理者は、表示部１５の表示内容に従って顧客ＤＢに新規会員に関する種々の情報を入力し、また、店舗情報の内容を更新するために操作部１６を使用する。
【００３７】
カードリーダ２は、図２に示すように、制御部２０、ＲＯＭ２１、ＲＡＭ２２、ＲＦＩＤカード（会員カード）に記憶してあるデータを読み取るカード読取部２３、ネットワークＮに接続するための通信部２４等を備えており、それぞれはバス２０ａを介して相互に接続されている。ＲＯＭ２１には、カードリーダ２を動作させるために必要な種々の制御プログラムが予め格納されている。
【００３８】
制御部２０は、ＣＰＵ又はＭＰＵ等により構成されており、バス２０ａを介して接続される上述したようなハードウェア各部を制御すると共に、ＲＯＭ２１に予め格納されている制御プログラムを適宜ＲＡＭ２２に読み出して実行する。ＲＡＭ２２はＳＲＡＭ又はフラッシュメモリ等で構成されており、制御部２０による制御プログラムの実行時に発生するデータを一時的に記憶する。
【００３９】
また、レジ端末３は、図２に示すように、制御部３０、ＲＯＭ３１、ＲＡＭ３２、バーコードリーダ３３、表示部３４、操作部３５、ネットワークＮに接続するための通信部３６、ＲＦＩＤカード（会員カード）に記憶してあるデータを読み取るカード読取部３７等を備えており、それぞれはバス３０ａを介して相互に接続されている。ＲＯＭ３１には、レジ端末３を動作させるために必要な種々の制御プログラムが予め格納されている。
【００４０】
制御部３０は、ＣＰＵ又はＭＰＵ等により構成されており、バス３０ａを介して接続される上述したようなハードウェア各部を制御すると共に、ＲＯＭ３１に予め格納されている制御プログラムを適宜ＲＡＭ３２に読み出して実行する。ＲＡＭ３２はＳＲＡＭ又はフラッシュメモリ等で構成されており、制御部３０による制御プログラムの実行時に発生するデータを一時的に記憶する。
【００４１】
バーコードリーダ３３は、店舗内の商品にそれぞれ付与されたバーコードを読み取り、それぞれの商品の商品名及び価格等を読み取る。制御部３０は、バーコードリーダ３３が順次読み取る各商品の価格を加算して合計金額を算出する。表示部３４は、例えばＬＣＤにより構成されており、バーコードリーダ３が読み取った商品名及び価格、操作部３５を介して入力された各種のデータ、レジ端末３を操作する店員へ通知すべき情報等を表示する。
【００４２】
操作部３５は、レジ端末３を店員が操作するために必要な種々の操作キーを備えており、店員により操作キーが操作された場合、操作された操作キーに対応した制御信号を制御部３０へ送出し、制御部３０は取得した制御信号に対応した制御プログラムをＲＯＭ３１からＲＡＭ３２に読み出して順次実行する。なお、表示部３４をタッチパネル方式のものとすることにより、操作部３５の各種のキーのうちの一部又は全部を代用することも可能である。
【００４３】
上述した構成のレジ端末３を操作する店員は、顧客が購入する商品に付与されているバーコードを順次バーコードリーダ３３に読み取らせる。制御部３０は、バーコードリーダ３３が順次読み取る各商品の価格を加算して合計金額を算出する。また、店員は、１人の顧客が購入する全ての商品のバーコードの読み取りが終了した場合に算出された合計金額に基づいて、顧客から料金を徴収し、清算処理を行なう。
【００４４】
上述した構成の情報提供システム１００において、顧客が入店した出入口に設置されているカードリーダ２のカード読取部２３に自身の会員カードを入れたカードケースをかざした場合、カードリーダ２のカード読取部２３は、かざされた会員カードに予め記憶してある顧客情報中の会員番号を読み取る。制御部２０は、カード読取部２３が読み取った会員番号を通信部２４から情報提供装置１へ送信する。情報提供装置１は、カードリーダ２から受信した会員番号をＲＡＭ１２に一旦記憶する。
【００４５】
制御部１０は、カードリーダ２から受信した会員番号が示す顧客が入店したことを検知する検知手段として動作している。また、制御部１０は、ＲＡＭ１２に既に記憶してある会員番号を再度カードリーダ２から受信した場合には、受信した会員番号が示す顧客が退店したことを検知し、この場合には受信した会員番号をＲＡＭ１２から消去する。
【００４６】
本実施の形態の情報提供装置１は、上述したように会員カードを携帯している顧客の入店及び退店を検知しており、入店を検知した後に未だ退店を検知していない顧客、即ち店舗内に在店中の顧客に対して記憶部１３に用意してある店舗情報を提供する。具体的には、情報提供装置１の制御部１０は、カードリーダ２から会員番号を受信した場合、受信した会員番号が示す顧客（入店した顧客）の在店中連絡先を記憶部１３の顧客ＤＢから読み出して取得する取得手段として動作する。
【００４７】
制御部１０は、カードリーダ２からの会員番号の受信日時に基づいて、提供すべき店舗情報を特定する特定手段として動作し、特定した店舗情報を、記憶部１３の顧客ＤＢから読み出した連絡先へ提供する提供手段として動作する。なお、記憶部１３には、提供すべき日時に対応させて店舗情報が記憶されており、制御部１０は、カードリーダ２からの会員番号の受信日時に適した店舗情報を特定する。また、制御部１０は、記憶部１３の顧客ＤＢから読み出した在店中連絡先が電子メールアドレスである場合には電子メールで、また、在店中連絡先が携帯電話機の電話番号である場合には電話回線を介した音声ガイダンスでそれぞれ、特定した店舗情報を提供する。
【００４８】
また、制御部１０は、カードリーダ２からの会員番号を受信した場合のみならず、記憶部１３に記憶してある店舗情報のそれぞれに対応する提供日時が経過した場合にも、ＲＡＭ１２に記憶してある会員番号が示す顧客、即ち、この時点で在店中の顧客へも対応する店舗情報を提供する。この場合、制御部１０は、ＲＡＭ１２に記憶してある会員番号が示す顧客の在店中連絡先を記憶部１３の顧客ＤＢから読み出し、読み出した連絡先へ対応する店舗情報を提供する。
【００４９】
更に、本実施の形態の情報提供システム１００では、購入商品を清算する際にレジ端末３のカード読取部３７によって顧客の会員カードの会員番号が読み取られ、レジ端末３の制御部３０は、カード読取部３７が読み取った会員番号を情報提供装置１へ送信する。情報提供装置１の制御部１０は、レジ端末３から会員番号を受信した場合、受信した会員番号の顧客が商品を購入したことを検出する検出手段として動作する。
【００５０】
従って、制御部１０は、商品を購入した顧客に対して、記憶部１３に記憶してある店舗情報のうちの、店舗から帰宅するための交通手段に関する情報を選択（特定）して提供する。なお、交通手段に関する情報とは、例えば店舗が行なっている送迎バスの出発時刻表、店舗の最寄り駅からの電車の出発時刻表等である。
【００５１】
これにより、店舗内にいる顧客に対して有用な店舗情報を確実に提供することができ、顧客は、提供された店舗情報を有効に利用することができる。また、顧客は、帰宅する際に出入口に設置されているカードリーダ２のカード読取部２３に自身の会員カードを入れたカードケースをかざす。これにより、カードリーダ２のカード読取部２３が読み取った会員番号が情報提供装置１へ送信され、情報提供装置１の制御部１０は、受信した会員番号の顧客が退店したことを検知する検知手段として動作する。従って、制御部１０は、顧客が入店した際にカードリーダ２から受信してＲＡＭ１２に記憶した会員番号を消去するので、それ以降の店舗情報の提供を行なわないようにすることができる。
【００５２】
以下に、上述した構成の情報提供システム１００による顧客への店舗情報の提供処理について説明する。図４は本発明に係る情報提供システム１００による店舗情報の提供処理の手順を示すフローチャートである。なお、以下の処理は、ＲＯＭ１１に予め記憶してある制御プログラムに従って制御部１０が実行する。
【００５３】
情報提供装置１の制御部１０は、カードリーダ２のカード読取部２３が読み取った会員番号を受信したか否かを判断しており（Ｓ１）、受信していないと判断した場合（Ｓ１：ＮＯ）、後述するステップＳ７へ処理を移行する。制御部１０は、カードリーダ２から会員番号を受信したと判断した場合（Ｓ１：ＹＥＳ）、受信した会員番号がＲＡＭ１２に記憶されているか否かに基づいて、受信した会員番号が示す顧客の入店を検知したか否かを判断する（Ｓ２）。具体的には、受信した会員番号がＲＡＭ１２に記憶されていなければ、制御部１０は、受信した会員番号が示す顧客が入店したと判断する。
【００５４】
制御部１０は、受信した会員番号が示す顧客が入店したと判断した場合（Ｓ２：ＹＥＳ）、カードリーダ２から受信した会員番号をＲＡＭ１２に記憶させ（Ｓ３）、記憶させた会員番号が示す顧客の在店中連絡先を記憶部１３の顧客ＤＢから読み出す（Ｓ４）。また、制御部１０は、カードリーダ２から会員番号を受信した時刻に基づいて、受信した会員番号が示す顧客へ提供すべき店舗情報を特定して記憶部１３から読み出し、読み出した店舗情報を、ステップＳ４で読み出した在店中連絡先を宛先として提供する（Ｓ５）。
【００５５】
なお、店舗情報は、在店中連絡先が携帯電話機の電話番号である場合には電話回線を介した音声ガイダンスによって、在店中連絡先が携帯電話機に割り当てられた電子メールアドレスである場合には電子メールによって提供される。ステップＳ２で、制御部１０は、受信した会員番号が示す顧客が入店していないと判断した場合（Ｓ２：ＮＯ）、即ち、受信した会員番号が既にＲＡＭ１２に記憶されていた場合には、受信した会員番号が示す顧客が退店したことを検知し、ＲＡＭ１２に記憶してある会員番号を消去し（Ｓ６）、ステップＳ７へ処理を移行する。
【００５６】
制御部１０は、自身のタイマが示す時刻に基づいて、記憶部１３に記憶してある店舗情報のそれぞれを提供すべき所定の時刻に至ったか否かを判断しており（Ｓ７）、所定の時刻に至ったと判断した場合（Ｓ７：ＹＥＳ）、この時点でＲＡＭ１２に記憶してある全ての会員番号が示す顧客の在店中連絡先を記憶部１３の顧客ＤＢから読み出す（Ｓ４）。また、制御部１０は、所定の時刻に対応する店舗情報を特定して記憶部１３から読み出し、読み出した店舗情報を、ステップＳ４で読み出した全ての在店中連絡先を宛先として提供する（Ｓ５）。
【００５７】
所定の時刻に至っていないと判断した場合（Ｓ７：ＮＯ）、制御部１０は、レジ端末３のカード読取部３７が読み取った会員番号を受信したか否かを判断しており（Ｓ８）、受信していないと判断した場合（Ｓ８：ＮＯ）、ステップＳ１１へ処理を移行する。制御部１０は、レジ端末３から会員番号を受信したと判断した場合（Ｓ８：ＹＥＳ）、受信した会員番号が示す顧客の在店中連絡先を記憶部１３の顧客ＤＢから読み出し（Ｓ９）、また、店舗から帰宅する際の交通手段に関する店舗情報を特定して記憶部１３から読み出し、ステップＳ９で読み出した在店中連絡先へ提供する（Ｓ１０）。
【００５８】
制御部１０は、管理者又は店員等による操作部１６の操作、情報提供装置１の電源の遮断等により、各種の処理の終了が指示されたか否かを判断しており（Ｓ１１）、処理の終了が指示されたと判断した場合（Ｓ１１：ＹＥＳ）、上述した処理を終了し、処理の終了が指示されていないと判断した場合（Ｓ１１：ＮＯ）、ステップＳ１の処理に戻り、カードリーダ２又はレジ端末３からの会員番号の受信待ち状態、又は記憶部１３に記憶してある店舗情報のそれぞれを提供すべき所定の時刻に至るまでの待ち状態となる。
【００５９】
上述したように、店舗内の顧客に対して、当日のイベント情報及び当日有効であるクーポン等を提供することにより、より有用な情報を在店中の顧客へ提供することができると共に、各顧客においても提供された情報を有効に利用することができる。
【００６０】
上述した実施の形態では、カードリーダ２が、各顧客が携帯している会員カードから各会員毎の会員番号を読み取り、情報提供装置１が、カードリーダ２によって読み取られた会員番号に対応する各顧客の在店中連絡先を記憶部１３の顧客ＤＢから読み出す構成について説明したが、各顧客が携帯している会員カード（連絡先記憶部）に各顧客の在店中連絡先を記憶させておき、カードリーダ２が、各顧客の会員カードから各会員の在店中連絡先を直接読み取る構成とすることもできる。また、各顧客の在店中連絡先を各顧客の携帯電話機に記憶させておき、携帯電話機から在店中連絡先（具体的には携帯電話の電話番号又は電子メールアドレス）を直接取得する構成とすることもできる。
【００６１】
また、上述した情報提供システム１００では、ＲＦＩＤカードからのデータの読み取りが可能なカードリーダ２を用いた構成について説明したが、各顧客が入店時及び退店時において自身に割り当てられた会員番号をテンキー入力等することにより、自身の入店及び退店を情報提供装置１へ通知する構成としてもよい。また、店舗に備える駐車場のゲートにおいて、各顧客の入退店を検知する構成とすることもできる。
【００６２】
更に、レジ端末３において、購入された商品に関する情報も、カード読取部３７で読み取った会員番号と共に情報提供装置１へ通知し、情報提供装置１において各顧客の購入履歴を管理することにより、各顧客の購入履歴に基づいて固有の店舗情報を提供することもできる。
【図面の簡単な説明】
【００６３】
【図１】本発明に係る情報提供システムの構成例を示す模式図である。
【図２】情報提供装置、カードリーダ及びレジ端末の内部構成例を示すブロック図である。
【図３】顧客データベースの構成例を示す模式図である。
【図４】本発明に係る情報提供システムによる店舗情報の提供処理の手順を示すフローチャートである。
【符号の説明】
【００６４】
１００  情報提供システム
１  情報提供装置
１０  制御部（検知手段、取得手段、特定手段、提供手段、検出手段）
１３  記憶部（情報記憶手段、連絡先記憶手段）
２  カードリーダ
２３  カード読取部
３  レジ端末
【図１】
2006018520.tif 000003
【図２】
2006018520.tif 000004
【図３】
2006018520.tif 000005
【図４】
2006018520.tif 000006